(57)【要約】      （修正有）【課題】リュックサックやショルダーバッグに変形し、それぞれの背負い方に合ったカーブを有するストラップを使用することができるバッグを提供する。【解決手段】バッグ１の背面に設けたスリット５ａに一側面方向にカーブするストラップ２ａに設けられた接続部３ａを通してバッグ１の上面に設けられた接続部４ａに接続し、スリット５ｂに他側面方向にカーブするストラップ２ｂに設けられた接続部３ｂを通してバッグ１の上面に設けられた接続部４ｂに接続すると背負った場合にそれぞれ胸から脇へ下方向にカーブを持つ背負い易く体に沿ったストラップを有するリュックサックとして使用することができる。また、ストラップ２ｂに設けられた接続部３ｂをスリット７ｂに通し、次にスリット５ａに通してバッグ１の上面に設けられた接続部４ａに接続するとショルダーバッグとして使用することができる。【選択図】図１
0003201825.tif 000002
【実用新案登録請求の範囲】
【請求項１】
１つ以上の１カ所以上に着脱可能な部位を有するカーブした形状のストラップを有するバッグであって、上面に２つ以上のストラップとの接続部と背面に２つ以上のスリットを有し、ストラップが有する接続部をバッグの背面のスリットに通してから上面の接続部にそれぞれ接続することでリュックサックとして使用する時もショルダーバッグとして使用する時も背負い方に合ったカーブを有するストラップを使用することができることを特徴とするバッグ。
【請求項２】
１つ以上の１カ所以上に着脱可能な部位を有するカーブした形状のストラップを有するバッグであって、上面にスリットで上下方向の移動が制限されたストラップとの接続部を２つ以上有し、ストラップが有する接続部を上面の接続部にそれぞれ接続することでリュックサックとして使用する時もショルダーバッグとして使用する時も背負い方に合ったカーブを有するストラップを使用することができることを特徴とするバッグ。
【考案の詳細な説明】
【技術分野】
【０００１】  この考案はリュックサックとショルダーバッグなど複数の形状に変形して使用することができるバッグに関するものである。
【背景技術】
【０００２】リュックサックとショルダーバッグに変形することで複数通りに使用することができる従来の技術を使用したバッグ２０図７のような背面上部に一端が固定され他端に接続部２２ａ及び２２ｂをそれぞれ持つ２本のストラップ２１ａ及び２１ｂを有し、背面下方にストラップとの接続部２３ａ及び２３ｂをそれぞれ有するバッグがある。ストラップ２１ａが有する接続部２２ａを接続部２３ａに接続し、ストラップ２１ｂが有する接続部２２ｂを接続部２３ｂへ接続するとリュックとして使用することができる。またストラップ２１ｂが有する接続部２２ｂを接続部２３ａに接続しストラップ２１ａをスリット２４へ収納するとことでショルダーバッグとして使用することができる。【０００３】別のリュックサックとショルダーバッグに変形することで複数通りに使用することができる従来の技術を使用したバッグ３０図８のようなバッグの上面にストラップとの接続部３３ａ及び３３ｂを持つバッグがある。ストラップ３１ａ、３１ｂは背面の下方で一端を固定されており他端にそれぞれ有する接続部３２ａ、３２ｂをバッグ上面の接続部３３ａ、３３ｂにそれぞれ接続することでリュックサックとしてもショルダーバッグとしても使用することができる。
【考案の概要】
【考案が解決しようとする課題】
【０００４】  しかしながら、従来技術を使用したバッグ２０図７によれば上部でストラップが固定されているためリュックサックで使用する際に背負いやすいカーブを有するストラップを取り付けるとショルダーバッグで使用する際に背負いづらく、ショルダーバッグで使用する際に背負いやすいカーブを有するストラップを取り付けるとリュックサックで使用する際に背負いづらいため直線かまたはそれに近い形状のストラップを使用しなければならずストラップの形状の選択肢として体に沿ったカーブを有するストラップを選択することができなかった。【０００６】直線かまたはそれに近い形状のストラップではバッグを背負った際の体への密着度合いが体に沿ったカーブを有するストラップよりも劣ってしまうため体への負担が大きかった。【０００７】直線かまたはそれに近い形状のストラップではバッグから荷物を取る時などバッグ本体を背中から腹に回す際に回し易さが体に沿ったカーブを有するストラップよりも劣ってしまっていた。【０００８】また別の従来技術を使用したバッグ３０図８では上面に備えた接続部３３ａ及び３３ｂとそれに接続されたストラップ３１ａ及び３１ｂがそれぞれ有する接続部３２ａ及び３２ｂが密着させて背負うほど背中に当たり体に負担がかかっていた。【０００９】  本考案はかかる事情に鑑みてなされたものであり、その目的はリュックサックとしてもショルダーバックとしても使用することができ、それぞれの背負い方に合ったカーブを有する形状のストラップをそれぞれの背負い方で使用することができ、かつリュックサックやショルダーバッグとして体に密着させて背負う際もバッグとストラップの接続部が体に当たらずに快適に背負うことができるバッグを提供することである。
【課題を解決するための手段】
【００１０】  上述した従来技術の問題点を解決し上述した目的を達成するために、バッグ１の背面部に帯状物８とステッチ９ａ、９ｂ、９ｃによりスリット５ａ及び５ｂを設けてストラップ２ａ及び２ｂにそれぞれ設けられた接続部３ａ及び３ｂをそれぞれスリット５ａ及び５ｂに通してからバッグの上面に設けられた接続部４ａ及び４ｂにそれぞれ接続する。【００１１】請求項２に係る発明では例えば図５のようにバッグの上面に帯状物１４とステッチ１２ａ、１２ｂ、１２ｃでスリット１１ａ及び１１ｂを作りバッグ上面に設けられた接続部４ａ及び４ｂをスリット１１ａ、１１ｂにそれぞれ通し上下方向の移動を制限する構造を作る。
【考案の効果】
【００１２】請求項１に係る発明によれば、バッグの上面に着脱可能にストラップを接続する構造を有することでリュックサックとして使用する時もショルダーバッグとして使用する時もそれぞれの背負い方に合ったカーブを有するストラップを使用することができる。【００１３】請求項１に係る発明によれば、複数の形状で使用できるバッグでありながらバッグの上面でストラップの着脱が可能なので、直線または直線に近いストラップ以外のデザインのストラップも使用することができるためデザインの幅を広げることができる。【００１４】請求項１に係る発明によれば、リュックサックとして使用する際にバッグを図１のようにセットすることでストラップは左右それぞれ胸から脇に下方向にカーブを有するので体にフィットしリュックサックとして背負っている際の体への負担が軽減される。【００１５】請求項１に係る発明によれば、リュックサックとして使用する際にバッグを図１のようにセットすることでストラップは左右それぞれ胸から脇に下方向にカーブを有するので荷物を取り出す時などで背中から腹へバッグを回しやすくなる。【００１６】請求項１に係る発明によれば、ショルダーバッグとして使用する際にバッグを図２のようにセットすることでストラップは肩から他側の脇に下方向にカーブを有するので
体にフィットしショルダーバッグとして背負っている際の体への負担が軽減される。【００１７】請求項１に係る発明によれば、ショルダーバッグとして使用する際にバッグを図２のようにセットすることでストラップは肩から他側の脇に下方向にカーブを有するので荷物を取り出す時などで背中から腹へバッグを回しやすくなる。【００１８】請求項１に係る発明によれば、背面のスリットに通してからバッグの上面の接続部へストラップを接続することでバッグ本体とストラップとの接続部が背負った際に背中に当たらないためリュックサックとしてもショルダーバッグとしても体に密着させて背負う時に快適に使用することができる。【００１９】請求項２に係る発明によれば、スリットでバッグの上面に設けられた接続部の上下方向の移動を抑えることで背負った際の体への密着度を上げ、接続部が体に当たらないようになっておりリュックサックとして使用する時もショルダーバッグとして使用する時も快適に使用することができる。
【図面の簡単な説明】
【００２０】
【図１】実施形態に係るリュックサックとしてもショルダーバッグとしても使用できるバッグをリュックサックとして使用する際の斜視図である。
【図２】実施形態に係るリュックサックとしてもショルダーバッグとしても使用できるバッグをショルダーバッグとして使用する際の斜視図である。
【図３】実施形態に係るリュックサックとしてもショルダーバッグとしても使用できるバッグの接続部を外している状態の図示したものである。
【図４】本考案の一実施例としてリュックサックとしてもショルダーバッグとしても使用できるバッグをリュックサックとして使用する際の斜視図である。
【図５】本考案の一実施例としてリュックサックとしてもショルダーバッグとしても使用できるバッグをリュックサックとして使用する際の斜視図である。
【図６】本考案の一実施例としてリュックサックとしてもショルダーバッグとしても使用できるバッグをリュックサックとして使用する際の斜視図である。
【図７】図７は従来の技術で見られるリュックサックとショルダーバッグに変形するバッグ２０をリュックサックとして使用する時の形状を図示したものである。バッグ２０は上方で取り外し不可に接続された他端に接続部２２ａ、２２ｂをそれぞれ持つストラップ２１ａ、２１ｂを有し、それぞれを接続部２３ａ、２３ｂに接続することで形成される。
【図８】図８は従来の技術で見られるリュックサックとショルダーバッグに変形するバッグ３０をリュックサックとして背負って使用している状態を図示したものである。バッグの背面の上方でストラップ３１ａが有する接続部３２ａと接続部３３ａが接続され、ストラップ３１ｂが有する接続部３２ｂと接続部３３ｂが接続されて形成されておりそれぞれの接続部は密着させてバッグを背負った場合に背中に当たる。
【実施例】
【００２１】まず、この発明を創作する際の基礎となる事項について簡単に説明する。発明者はアパレル製品・袋物・雑貨の企画から製造・販売まで行っている。また海外旅行が趣味であり旅行中のあらゆるシチュエーションに対応できるバッグとして長時間背負っても体に負担がかかりにくいリュックサックとバッグを背中から腹に回して荷物を取り出しやすいショルダーバッグの融合にこだわって製品開発を進めてきた。【００２２】発明者は先の発明を創作する際にリュックサックとショルダーバッグに変形できるバッグのストラップは直線に近い形状のモノが多く、体に沿った大きなカーブを持ったストラップがないことに気付いた。そして直線に近いストラップに限られている理由がリュックサックとショルダーバッグのストラップでは体に沿ったカーブの方向が合わないことが原因だと気づいた。【００２３】そこで発明者は通常のリュックサックとショルダーバッグに変形するバッグに見られるバッグの背面の下方の両端でストラップの一端を取り外し可能な構造から、背面の上方でストラップの他端が取り外しできる構造を考えた。これにより体に沿った方向のカーブを有するストラップを使用した場合でも上方でそれぞれのストラップの接続位置を変えることができるのでリュックサックとショルダーバッグのそれぞれの形態で体に沿ったストラップを選択して使用できるようになった。【００２４】しかしここで発明者は創作をしているバッグを密着して背負った際に背面の上方に設けた接続部とストラップの接続部が肩や背中に当たることに不快感を覚え、肩や背中に負担がかかっていることが分かった。そこでストラップとの接続部位をバッグの背面ではなく上面に取り付ける考えに至った。【００２５】発明者が前記の発案で上面に接続部を有するバッグの試作品を作り背負って試したところ、背負った際にバッグの上面の接続部が上に引かれる力がかかることでバッグが安定せず背負い心地が安定しないことに気づいた。そこで背面スリットを設けそこにストラップの接続部を通した後に上面のバッグの接続部に接続して使用することで、背負った際に背面が上に向かって引かれる力がかかり体に密着しやすく体にもバッグ本体にも負担がかかりにくいことを見いだしこの発明を創作するに至ったものである。【００２６】またこれと類似の機能の創作として上面の接続部の上下方向の移動を制限するようにスリットを設け、上面の接続部に集中して力が加わらずにスリットが上向きに引っぱられる力を上面に分散することで背負った際に安定感を出す発明を創作するに至ったものある。
【実施形態】
【００２７】次に、この発明の実施形態について、図面を参照しながら詳細に説明する。図１は実施形態に係るリュックサックとショルダーバッグに変形して使用できるバッグをリュックサックとして使用する際の形態の斜視図である。
【００２８】図１に示すようにバッグ１は背面のスリット５ａ、５ｂとスリット６とスリット７ａ、７ｂ、背面の下方でバッグと取り外し不可に接続しており他端に接続部３ａ，と３ｂをそれぞれ持つストラップ２ａとストラップ２ｂ、バッグ上面にストラップとの接部４ａと４ｂを有するバッグである。スリット６から下に向けて手を入れるとスリット７ａ、７ｂから手を出すことができる。
【００２９】スリット５ａ、５ｂは帯状物８とステッチ９ａ、９ｂ、９ｃにより作られている。帯状物８の端はバッグ１の形状を作る背面と上面と右側面と左側面の縫製に合わせて１０ａ、１０ｂ、１０ｃの位置で縫いこまれている。
【００３０】図１に示すリュックサックの形態はストラップ２ａが有する接続部３ａをスリット５ａに通しバッグ１の上面に配置された接続部４ａに接続し、ストラップ２ｂが有する接続部３ｂをスリット５ｂに通しバッグ１の上面に配置された接続部４ｂに接続することで形成される。
【００３１】図２は実施形態に係るリュックサックとショルダーバッグに変形して使用できるバッグをショルダーバッグとして使用する際の形態の斜視図である。
【００３２】ストラップ２ａが有する接続３ａをスリット５ｂに通してからバッグ１の上面に配置された接続部４ｂに接続し、ストラップ２ｂが有する接続部３ｂをスリット７ｂに通し、ストラップ２ｂがスリット６の中を通りながら、接続部３ｂをスリット５ａに通し、バッグ１の上面にある接続部４ａに接続することで形成される。
【００３３】図３は図１と図２における実施形態の際のストラップ２ａ、２ｂとバッグ１がそれぞれ有する接続部を外している状態の図である。
【００３４】図４は他の実施形態としてリュックサックとショルダーバッグに変形して使用できるバッグをリュックサックとして使用する際の形態の斜視図である。
【００３５】図４の実施形態は図１の実施形態とは異なり帯上物８の一辺１０ｂがバッグ１の背面と上面を縫い合わせる際に一緒に縫いこまれていない形態例である。
【００３６】図５は他の実施形態としてバッグの上面にスリットを有するリュックサックとショルダーバッグに変形して使用できるバッグをリュックサックとして使用する際の形態の斜視図である。
【００３７】図５に示すリュックサックの形態はストラップ２ａが有する接続部３ａをバッグ１が上面に有するスリット１１ａに通し接続部４ａに接続し、ストラップ２ｂが有する接続部３ｂをバッグ１が上面に有するスリット１１ｂに通し配置された接続部４ｂに接続することで形成される。
【００３８】図６は他の実施形態としてバッグの上面にスリットを有するリュックサックとショルダーバッグに変形して使用できるバッグをリュックサックとして使用する際の形態の斜視図である。
【００３９】図６に示すリュックサックの形態はストラップ２ａが有する接続部３ａをバッグ１が上面に有するスリット１１ａで上下方向の移動が制限された接続部４ａに接続し、ストラップ２ｂが有する接続部３ｂをバッグ１が上面に有するスリット１１ｂで上下方向が制限された接続部４ｂに接続することで形成される。スリットを作る帯状物１４の一辺１３ｂはバッグ１の上面と前面を縫い合わせる際に一緒に縫い込まれている。
【００４０】以上、この発明の実施形態について説明したが、この発明は前記した実施形態に限定されない。例えば実施形態で示した帯状物は帯状ではなくてもスリットを作成できるものであれば形状は限定されない。またスリットの作り方も例えば帯状物にストラップを通す穴を開けるなどの形状でも構わず限定されない。
【００４１】また実施形態で示している帯状物をバッグに取り付けてスリットを作成する方法であるが、ステッチの位置や形状や数、帯状物の端をバッグに縫い込む位置や縫いこみ箇所の数や向きなどは限定されない。また帯状物をバッグに取り付ける方法としてステッチ以外の方法でも構わず、リベットやカシメなどの金具類や樹脂製のパーツなどでも良く、これらの形状や素材は限定されない。
【００４２】実施形態では背面にストラップに対応するスリットが２つ形成されているがこのスリット数が３つ以上あっても構わない。
【００４３】実施形態で示しているストラップの形状は一端のみ取り外し可能な接続部があるが、これとは別に複数の取り外し可能な接続部をストラップが有していても構わない。
【００４４】実施形態で示しているストラップの接続部はサイドリリースバックルを用いているが、これの形状、素材は限定されず他の接続パーツや接続方法でも構わず限定されない。
【産業上の利用可能性】
【００４５】    本考案は、着脱可能な部位が一か所以上あるストラップを有するバッグに適用可能である。
【符号の説明】
【００４６】１・・・バッグ
２ａ・・・ストラップ
２ｂ・・・ストラップ
３ａ・・・ストラップに設けられた接続部
３ｂ・・・ストラップに設けられた接続部
４ａ・・・バッグ上面に設けられた接続部
４ｂ・・・バッグ上面に設けられた接続部
５ａ・・・スリット
５ｂ・・・スリット
６・・・スリット
７ａ・・・スリット
７ｂ・・・スリット
８・・・帯状物
９ａ・・・ステッチ
９ｂ・・・ステッチ
９ｃ・・・ステッチ
１０ａ・・・帯状物の一端
１０ｂ・・・帯状物の一辺
１０ｃ・・・帯状物の他端
１１ａ・・・スリット
１１ｂ・・・スリット
１２ａ・・・ステッチ
１２ｂ・・・ステッチ
１２ｃ・・・ステッチ
１３ａ・・・帯状物の一端
１３ｂ・・・帯状物の一辺
１３ｃ・・・帯状物の他端
１４・・・帯状物
２０・・・バッグ
２１ａ・・・ストラップ
２１ｂ・・・ストラップ
２２ａ・・・ストラップに設けられた接続部
２２ｂ・・・ストラップに設けられた接続部
２３ａ・・・バッグに設けられた接続部
２３ｂ・・・バッグに設けられた接続部
２４・・・スリット
２５ａ・・・スリット
２５ｂ・・・スリット
３０・・・バッグ
３１ａ・・・ストラップ
３１ｂ・・・ストラップ
３２ａ・・・ストラップに設けられた接続部
３２ｂ・・・ストラップに設けられた接続部
３３ａ・・・バッグに設けられた接続部
３３ａ・・・バッグに設けられた接続部
【図１】
0003201825.tif 000003
【図２】
0003201825.tif 000004
【図３】
0003201825.tif 000005
【図４】
0003201825.tif 000006
【図５】
0003201825.tif 000007
【図６】
0003201825.tif 000008
【図７】
0003201825.tif 000009
【図８】
0003201825.tif 000010